(57)【要約】【課題】機構的に複雑化させることなく、異なる種類の操作を可能にすること。【解決手段】撮像装置は、ズームレンズの位置を制御する移動機構と、回転端が有る第１リングと、回転端の無い第２リングと、前記第１リングの回転位置に応じて前記移動機構を制御する第１の制御と前記第２リングの回転速度に応じて前記移動機構を制御する第２の制御とを外部からの指示に応じて切り換えて実行することを特徴とする。【選択図】図１
2014066878.tif 000002
【特許請求の範囲】
【請求項１】
ズームレンズの位置を制御する移動機構と、
回転端が有る第１リングと、
回転端が無い第２リングと、
前記第１リングの回転位置に応じて前記移動機構を制御する第１の制御と前記第２リングの回転速度に応じて前記移動機構を制御する第２の制御とを外部からの指示に応じて切り換えて実行する制御部と
を備えること特徴とする撮像装置。
【請求項２】
前記第２リングの回転位置と前記ズームレンズの位置との対応関係を予め複数記憶する記憶部をさらに備え、
前記制御部は、前記第２リングの回転位置に対応づけられた前記ズームリングの位置を前記記憶部から読み出し、該位置に前記ズームリングが移動するように前記移動機構を制御することを特徴とする請求項１に記載の撮像装置。
【請求項３】
前記制御部は、前記第２リングの回転角度に対する前記ズームリングの移動量が、前記第１リングの回転角度に対する前記ズームリングの移動量よりも小さくなるように、前記移動機構を制御することを特徴とする請求項１に記載の撮像装置。
【請求項４】
フォーカスレンズの位置を自動制御するオートフォーカス機能と、
前記オートフォーカス機能の有効および無効を切り換えるスイッチと、
をさらに備え、
前記第１リングは、前記ズームレンズの位置をユーザが制御するためのズームリングであり、
前記第２リングは、前記フォーカスレンズの位置をユーザが制御するためのズームリングであり、
前記制御部は、前記スイッチによって前記オートフォーカス機能が有効にされていた場合、前記第２リングに対する操作にしたがって前記移動機構を制御することを特徴とする請求項１〜３のいずれか一つに記載の撮像装置。
【請求項５】
回転端が有る第１リングと、
回転端が無い第２リングと、
ズームレンズの位置を制御する移動機構と、
を備える撮像装置の制御方法であって、
前記第１リングの回転位置に応じて前記移動機構を制御する第１の制御と前記第２リングの回転速度に応じて前記移動機構を制御する第２の制御とを外部からの指示に応じて切り換えて実行する制御ステップ、
を備えることを特徴とする制御方法。
【発明の詳細な説明】
【技術分野】
【０００１】
本発明は、撮像装置およびその制御方法に関する。
【背景技術】
【０００２】
通常、カメラのズームは、円筒状の鏡筒に設けられた操作リングの回転もしくはズームレバーの押し下げによって操作される。ここで、操作リングの回転でズームを操作する機構を備えるカメラには、操作リングの構造が望遠（ＴＥＬＥ）端、広角（ＷＩＤＥ）端を機構的に持つカメラと、これらの端を機構的に持たないカメラとがある。
【０００３】
機構的に端を持つカメラは、ズームレンズのレンズ送り出し機構が、操作リングの機構と機械的に連動して動くタイプのものと、機械的な連動はなく、電気的にレンズを制御するタイプのものに分かれる。電気的にレンズの送り出しを制御する場合、その制御上の制限、たとえばモータのトルクの上限などの要因で、リング操作と直結した操作感をユーザが得られるとは限らない。たとえば操作リングをＴＥＬＥ端からＷＩＤＥ端まで素早く回転させたとしても、ズームレンズの端間移動時間が操作リングの回転操作時間より長いと、操作リングの回転操作を止めたにも関わらず、ズームレンズがまだ動いているといった現象が生じる。
【０００４】
このような現象は、ファインダの映像を見ながらリング位置を決定したい場合などにユーザに違和感を与えてしまう。しかしながら、ＴＥＬＥ端とＷＩＤＥ端を持つ操作リングの構造は、操作リングの回転位置（角度）が同じであれば必ず同じ位置にズームレンズが移動するため、操作リングの回転位置を頼りにズームを操作したいユーザにとっては大きなメリットとなる。
【０００５】
一方、機構的に端を持たないカメラでは、ズームリングの回転位置とズームレンズの位置とが一義的に決まっていないため、操作リングの回転位置を頼りにズームを操作することができない。しかしながら、操作リングの回転操作を停止させればズームレンズの移動も停止するように構成されているため、ユーザによる操作リングの操作に対する実際のズームレンズの移動の遅延が少ない。これは、ファインダの映像を見ながら画角を合わせる場合などでは操作性が良いというメリットが得られる。
【先行技術文献】
【特許文献】
【０００６】
【特許文献１】特開２００２−７２０５１号公報
【発明の概要】
【発明が解決しようとする課題】
【０００７】
上記のように、ＴＥＬＥ端およびＷＩＤＥ端を機構的に持つカメラと持たないカメラとには、それぞれの長所および短所がある。通常のカメラでは、リング機構は上記２種類のうちのどちらかであり、２種類の操作性を実現させるには、機構的にズームリングを２種類備えるか、１つのズームリングを端有りと端無しとで機構的に切り替え可能に構成する必要があるが、これらの解決策はカメラの構造を機構的に複雑化させてしまうという問題が存在する。
【０００８】
そこで本発明は、上記の問題に鑑みてなされたものであり、機構的に複雑化させることなく、異なる種類の操作を可能にする撮像装置およびその制御方法を提供することを目的とする。
【課題を解決するための手段】
【０００９】
かかる目的を達成するために、本発明にかかる撮像装置は、ズームレンズの位置を制御する移動機構と、回転端が有る第１リングと、回転端が無い第２リングと、前記第１リングの回転位置に応じて前記移動機構を制御する第１の制御と前記第２リングの回転速度に応じて前記移動機構を制御する第２の制御とを外部からの指示に応じて切り換えて実行する制御部とを備えること特徴とする。
【００１０】
また、本発明にかかる撮像装置の制御方法は、回転端が有る第１リングと、回転端が無い第２リングと、ズームレンズの位置を制御する移動機構と、を備える撮像装置の制御方法であって、前記第１リングの回転位置に応じて前記移動機構を制御する第１の制御と前記第２リングの回転速度に応じて前記移動機構を制御する第２の制御とを外部からの指示に応じて切り換えて実行する制御ステップを備えることを特徴とする。
【発明の効果】
【００１１】
本発明の一つの様態によれば、機構的に複雑化させることなく、異なる種類の操作を可能にする撮像装置およびその制御方法を提供することを目的とする。
【図面の簡単な説明】
【００１２】
【図１】図１は、本発明の実施形態１にかかる撮像装置としてのカメラの概略構成を示す模式図である。
【図２】図２は、実施形態１にかかるフォーカスリングの一例を示す図である。
【図３】図３は、実施形態１にかかるズームリングの一例を示す図である。
【図４】図４は、実施形態１におけるズームリングの操作とズーム倍率の制御との関係を示す図である。
【図５】図５は、実施形態１におけるフォーカスリングの操作とズーム倍率の制御との関係を示す図である。
【図６】図６は、実施形態１にかかる動作の一例を示すフローチャートである。
【図７】図７は、実施形態２にかかるフォーカスリングの回転位置とプリセット位置との関係の一例を示す図である。
【図８】図８は、実施形態２にかかるプリセット位置とズーム倍率との関係の一例を示す図である。
【図９】図９は、実施形態２にかかる動作の一例を示すフローチャートである。
【図１０】図１０は、実施形態２におけるフォーカスリングの操作とズーム倍率の制御との関係を示す図である。
【図１１】図１１は、実施形態３にかかる動作の一例を示すフローチャートである。
【発明を実施するための形態】
【００１３】
以下、本発明を実施するための形態を図面と共に詳細に説明する。なお、以下の説明において、各図は本発明の内容を理解でき得る程度に形状、大きさ、および位置関係を概略的に示してあるに過ぎず、従って、本発明は各図で例示された形状、大きさ、および位置関係のみに限定されるものではない。また、後述において例示する数値は、本発明の好適な例に過ぎず、従って、本発明は例示された数値に限定されるものではない。
【００１４】
（実施形態１）
まず、本発明の実施形態１にかかる撮像装置およびその制御方法について、図面を参照して詳細に説明する。図１は、本発明の実施形態１にかかる撮像装置としてのカメラの概略構成を示す模式図である。図１に示すように、カメラ１０は、少なくとも、鏡筒１８に設けられたフォーカスリング１５およびズームリング１６と、鏡筒１８内に設けられた各種レンズの位置を移動させるモータ１３およびモータ１３を駆動する駆動回路１２と、駆動回路１２を制御する制御部１１と、オートフォーカスのオン／オフをユーザが切り替えるためのＡＦスイッチ１４と、各種アプリケーションプログラムおよび設定パラメータや不図示の撮像素子から読み出した画像データを記憶する記憶部１９とを備える。
【００１５】
記憶部１９は、たとえばフラッシュメモリなどの記憶装置で構成される。制御部１１は、たとえばＣＰＵ（Ｃｅｎｔｒａｌ  Ｐｒｏｃｅｓｓｉｎｇ  Ｕｎｉｔ）などの情報処理装置で構成され、記憶部１９から読み出した各種アプリケーションプログラムおよび設定パラメータを実行することで、カメラ１０内の各部を操作する。
【００１６】
モータ１３は、たとえばステッピングモータ（パルスモータともいう）であり、鏡筒１８内に設けられたフォーカスレンズおよびズームレンズそれぞれに設けられる。駆動回路１２は、制御部１１からの制御信号にしたがって、各種レンズを目的の位置へまたは目的の移動量、移動させるための駆動信号をモータ１３に入力する。
【００１７】
ＡＦスイッチ１４は、カメラ１０の本体筐体外部に設けられたメカニカルスイッチであってもよいし、ユーザがメニュー画面にしたがって操作するいわゆるソフトスイッチであってもよい。
【００１８】
フォーカスリング１５は、鏡筒１８内でのフォーカスレンズ（不図示）の位置をユーザが調節するための機構である。図２に、フォーカスリング１５の一例を示す。図２に示すように、フォーカスリング１５は、鏡筒１８周囲をエンドレスに回転可能な端無しの機構を持ち、単位時間あたりの回転量（以下、回転速度という）を検出する。検出された回転速度は、フォーカスリング操作信号として制御部１１へ入力される。制御部１１は、ＡＦスイッチ１４がオフの場合、フォーカスリング操作信号にしたがって駆動回路１２を制御することで、フォーカスレンズの位置を調節する。一方、制御部１１は、ＡＦスイッチ１４がオンの場合、フォーカスリング操作信号にしたがって駆動回路１２を制御することで、ズームレンズの位置を調節する。
【００１９】
ズームリング１６は、鏡筒１８内でのズームレンズ（不図示）の位置をユーザが調節するための機構である。図３に、ズームリング１６の一例を示す。図３に示すように、ズームリング１６は、望遠（ＴＥＬＥ）端および広角（ＷＩＤＥ）端を機構的に持ち、その回転方向の角度（以下、回転位置という）を検出する。ズームリング１６の基準となる位置の外周には、突起１６ａが設けられる。ユーザは、突起１６ａの外周上の位置を触覚や視覚で確認することで、ズームリング１６の回転位置を確認することができる。検出されたズームリング１６の回転位置は、ズームリング操作信号として制御部１１へ入力される。制御部１１は、ＡＦスイッチ１４のオン／オフに関わらず、ズームリング操作信号にしたがって駆動回路１２を制御することで、ズームレンズの位置を調節する。
【００２０】
また、カメラ１０は、光量調節用の絞り機構およびこれをユーザが操作するためのアイリス（ＩＲＳ）リング１７を備えてもよい。アイリスリング１７は、たとえば鏡筒１８周囲をエンドレスに回転可能な端無しの機構を持ってもよいし、ＴＥＬＥ端およびＷＩＤＥ端を機構的に持っていてもよい。アイリスリング１７は、その回転位置、または、回転速度を検出し、これをアイリスリング操作信号として制御部１１に入力する。制御部１１は、入力されたアイリスリング操作信号にしたがって駆動回路１２を制御することで、絞り機構の絞り量を調節する。
【００２１】
つづいて、実施形態１にかかるカメラ１０の機能について、図面を用いて詳細に説明する。図４は、実施形態１におけるズームリングの操作とズーム倍率の制御との関係を示す図である。なお、同図においては倍率と回転位置との関係を直線で表しているが、これは説明の便宜上このようにしたものであって、実際の関係は特殊な曲線になる。図５は、実施形態１におけるフォーカスリングの操作とズーム倍率の制御との関係を示す図である。
【００２２】
図４に示すように、実施形態１では、ズームリング１６については、ＡＦスイッチ１４のオン／オフに関わらず、その回転位置に応じてズームレンズの位置を制御する、いわゆる端有りの場合の通常の制御が行われる。
【００２３】
一方、フォーカスリング１５については、ＡＦスイッチ１４がオンされている場合、フォーカスリング１５の操作が実質的にフォーカス機能に関わってこない。そこで実施形態１では、ＡＦスイッチ１４がオンされている場合、フォーカスリング１５を、いわゆる端無しのズームリングとして機能させる。その場合、図５に示すように、フォーカスリング１５を回転速度に応じてズームレンズが移動制御されて、ズーム倍率が制御される。
【００２４】
つぎに、実施形態１にかかるカメラ１０の動作について、図面を用いて詳細に説明する。図６は、実施形態１にかかる動作の一例を示すフローチャートである。図６に示すように、実施形態１では、まず、制御部１１は、ＡＦスイッチ１４がオンであるかオフであるかを確認する（ステップＳ１０１）。ＡＦスイッチ１４がオフである場合（ステップＳ１０１；ＮＯ）、制御部１１は、フォーカスリング１５およびズームリング１６に対する操作に対して通常の制御を実行し（ステップＳ１０２）、ステップＳ１１０へ移行する。
【００２５】
一方、ＡＦスイッチ１４がオンである場合（ステップＳ１０１；ＹＥＳ）、制御部１１は、フォーカスリング１５が操作されたか否かを判定し（ステップＳ１０５）、操作された場合（ステップＳ１０５；ＹＥＳ）、フォーカスリング１５の回転速度に応じてズームレンズの位置を移動させる（ステップＳ１０６）。なお、フォーカスリング１５の操作がなければ（ステップＳ１０５；ＮＯ）、そのままステップＳ１１０へ移行する。
【００２６】
その後、制御部１１は、電源オフなどの操作により終了の指示がなされたか否かを判定し（ステップＳ１１０）、終了の指示がなされている場合（ステップＳ１１０；ＹＥＳ）、本動作を終了する。一方、終了の指示がなされていない場合（ステップＳ１１０；ＮＯ）、制御部１１は、ステップＳ１０１へリターンし、以降の動作を実行する。
【００２７】
このように実施形態１では、ＡＦスイッチ１４がオンされている場合、フォーカスリング１５をいわゆる端無しのズームリングとして機能させることで、機構的にズームリングを２種類備えたり、１つのズームリングを端有りと端無しとで機構的に切り替え可能に構成したりする必要なく、端有りと端無しとの２種類の操作性を実現することが可能である。
【００２８】
なお、以上の説明では、フォーカスリング１５を端無しのズームリングとして使用する場合を例示したが、これに限定されるものではない。たとえばカメラ１０が自動で絞り機構を制御するモード（オートアイリス）を備えているのであれば、オートアイリスがオンされている場合、アイリスリング１７を端無しのズームリングとして使用するように構成することも可能である。
【００２９】
（実施形態２）
つぎに、本発明の実施形態２にかかる撮像装置およびその制御方法について、図面を参照して詳細に説明する。実施形態２では、ＡＦスイッチ１４がオンされている場合に、ズームレンズをプリセットしておいた位置へ移動させるための操作リングとしてフォーカスリング１５を用いるように構成する。なお、実施形態２にかかるカメラの構成は、実施形態１にかかるカメラ１０と同様であるため、ここではそれを引用する。
【００３０】
図７は、実施形態２にかかるフォーカスリングの回転位置とプリセット位置との関係の一例を示す図である。図８は、実施形態２にかかるプリセット位置とズーム倍率との関係の一例を示す図である。
【００３１】
図７に示すように、フォーカスリング１５に対しては、複数のプリセット位置Ｐ１〜Ｐ５を登録することができる。ファーカスリング１５はいわゆる端無しのエンドレス回転機構を備えるため、原理上、多数のプリセット位置を登録することができる。なお、フォーカスリング１５には、これの回転位置をユーザが触覚や視覚で確認できるように、基準となる位置の外周に突起１５ａが設けられてもよい。
【００３２】
図８に示すように、たとえば図７におけるプリセット位置Ｐ１には、ズーム倍率Ｒ１がプリセットされている。したがって、フォーカスリング１５の基準（たとえば突起１５ａ）をプリセット位置Ｐ１に移動させた場合、制御部１１は、駆動回路１２を介してモータ１３を駆動することで、ズーム倍率がＲ１となる位置にズームレンズを移動する。同様に、フォーカスリング１５の基準（たとえば突起１５ａ）をプリセット位置Ｐ５に移動させた場合、制御部１１は、駆動回路１２を介してモータ１３を駆動することで、ズーム倍率がＲ５となる位置にズームレンズを移動する。
【００３３】
図７に示すようなフォーカスリング１５の回転位置とプリセット位置Ｐ１〜Ｐ５との関係は、たとえば記憶部１９に格納される。また、図８に示すようなプリセット位置Ｐ１〜Ｐ５とズーム倍率Ｒ１〜Ｒ５との関係は、たとえばプリセット位置Ｐ１〜Ｐ５とズームレンズの位置（以下、これをプリセットレンズ位置という）との関係として、たとえば記憶部１９に記憶される。制御部１１は、ＡＦスイッチ１４がオンされている場合、フォーカスリング１５が操作されたことをトリガとして記憶部１９からこれらの関係を読み出してズームレンズの位置を制御する。
【００３４】
つぎに、実施形態２にかかるカメラ１０の動作について、図面を用いて詳細に説明する。図９は、実施形態２にかかる動作の一例を示すフローチャートである。なお、図９において、図６と同様の動作については、それを引用することで重複する説明を省略する。
【００３５】
図９に示すように、実施形態２にかかる制御部１１の動作は、基本的に図６に示す動作と同様であってよい。ただし、ステップＳ１０１；ＹＥＳからステップＳ１０５までの間に次の動作が入る。すなわち、ＡＦスイッチ１４がオンである場合（ステップＳ１０１；ＹＥＳ）、制御部１１は、ズームリング１６が操作されたか否かを判定し（ステップＳ１０３）、操作された場合（ステップＳ１０３；ＹＥＳ）、ズームリング１６の回転位置に応じてズームレンズの位置を移動させる通常の制御を実行する（ステップＳ１０４）。一方、ズームリング１６およびフォーカスリング１５の操作がなければ（ステップＳ１０３；ＮＯ、ステップＳ１０５；ＮＯ）、そのままステップＳ１１０へ移行する。
【００３６】
また、図６におけるステップＳ１０６の動作が、図９に示すステップＳ２０６の動作に置き換えられる。すなわち、ステップＳ１０５においてフォーカスリング１５が操作された場合（ステップＳ１０５；ＹＥＳ）、制御部１１は、フォーカスリング１５の回転位置に応じてプリセット位置を特定し、特定したプリセット位置に対応づけられたプリセットレンズ位置へズームレンズを移動させる（ステップＳ２０６）。
【００３７】
このように実施形態２では、ＡＦスイッチ１４がオンされている場合、フォーカスリング１５をプリセットされたズーム倍率を読み出すための機能として用いるように構成することで、機構的にズームリングを２種類備えたり、１つのズームリングを端有りと端無しとで機構的に切り替え可能に構成したりする必要なく、異なる種類の操作性を実現することを可能にしている。
【００３８】
なお、以上の説明では、フォーカスリング１５を使用する場合を例示したが、これに限定されるものではない。たとえばカメラ１０が自動で絞り機構を制御するモード（オートアイリス）を備えているのであれば、オートアイリスがオンされている場合、アイリスリング１７を使用するように構成することも可能である。
【００３９】
（実施形態３）
つぎに、本発明の実施形態３にかかる撮像装置およびその制御方法について、図面を参照して詳細に説明する。実施形態３では、ＡＦスイッチ１４がオンされている場合に、フォーカスリング１５をズームリング１６とは異なる分解能でズーム倍率を制御するためのズームリングとして用いるように構成する。なお、実施形態３にかかるカメラの構成は、実施形態１にかかるカメラ１０と同様であるため、ここではそれを引用する。
【００４０】
図１０は、実施形態２におけるフォーカスリングの操作とズーム倍率の制御との関係を示す図である。なお、実施形態３において、ズームリング１６の操作とズーム倍率の制御との関係は、たとえば図４に示す関係と同様であってよい。
【００４１】
図１０において、破線は、ズームリング１６の操作量（回転角度）に対するズーム倍率の変化量を示し、実線は、フォーカスリング１５の操作量（回転角度）に対するズーム倍率の変化量を示す。なお、実施形態３においても、ズームリング１６は端有りの機構を持ち、フォーカスリング１５は端無しの機構を持つため、ズームリング１６を用いたズームレンズの位置制御はズームリング１６に回転位置に応じた制御であり、フォーカスリング１５を用いたズームレンズの位置制御はフォーカスリング１５の回転速度に応じた制御であるが、ファイン制御ではフォーカスリング１５の回転に対してズームレンズの移動を十分に追従させることが可能であるため、時間的要素を無視した場合には、図１０に示すように、共に回転角度に応じた制御として捉うことが可能である。
【００４２】
図１０に示すように、フォーカスリング１５を用いたズーム倍率の制御は、ズームリング１６を用いたズーム倍率の制御よりも分解能が小さい、いわゆるファイン制御であってもよい。このように、分解能の異なる２種類のズーム制御をズームリング１６およびフォーカスリング１５それぞれで実現することで、たとえば高速にズーム倍率を変更する場合はズームリング１６を用い、低速にズーム倍率を変更する場合にはフォーカスリング１５を用いるというように、目的に応じて使い分けることが可能となる。
【００４３】
つぎに、実施形態３にかかるカメラ１０の動作について、図面を用いて詳細に説明する。図１１は、実施形態３にかかる動作の一例を示すフローチャートである。なお、図１１において、図６または図９と同様の動作については、それを引用することで重複する説明を省略する。
【００４４】
図１１に示すように、実施形態３にかかる制御部１１の動作は、基本的に図９に示す動作と同様であってよい。ただし、図９におけるステップＳ２０６の動作が、図１１に示すステップＳ３０６の動作に置き換えられる。すなわち、ステップＳ１０５においてフォーカスリング１５が操作された場合（ステップＳ１０５；ＹＥＳ）、制御部１１は、フォーカスリング１５の回転速度に応じて、より細かい分解能でズームレンズを移動させる、いわゆるファイン制御を実行する（ステップＳ３０６）。
【００４５】
このように実施形態３では、ＡＦスイッチ１４がオンされている場合、フォーカスリング１５をファイン制御のためのズームリングとして用いるように構成することで、機構的にズームリングを２種類備えたり、１つのズームリングを端有りと端無しとで機構的に切り替え可能に構成したりする必要なく、異なる種類の操作性を実現することを可能にしている。
【００４６】
なお、以上の説明では、フォーカスリング１５を使用する場合を例示したが、これに限定されるものではない。たとえばカメラ１０が自動で絞り機構を制御するモード（オートアイリス）を備えているのであれば、オートアイリスがオンされている場合、アイリスリング１７を使用するように構成することも可能である。
【００４７】
また、以上の説明では、フォーカスリング１５を用いた操作の方がズームリング１６を用いた操作よりも分解能が小さい場合を例示したが、これに限らず、フォーカスリング１５を用いた操作の方がズームリング１６を用いた操作よりも分解能が大きくてもよい。
【００４８】
また、上記実施の形態およびその変形例は本発明を実施するための例にすぎず、本発明はこれらに限定されるものではなく、仕様等に応じて種々変形することは本発明の範囲内であり、更に本発明の範囲内において、他の様々な実施の形態が可能であることは上記記載から自明である。例えば各実施の形態に対して適宜例示した変形例は、他の実施の形態に対して適用することも可能であることは言うまでもない。
【符号の説明】
【００４９】
１０  カメラ
１１  制御部
１２  駆動回路
１３  モータ
１４  ＡＦスイッチ
１５  フォーカスリング
１５ａ、１６ａ  突起
１６  ズームリング
１７  アイリスリング
１８  鏡筒
１９  記憶部
【図１】
2014066878.tif 000003
【図２】
2014066878.tif 000004
【図３】
2014066878.tif 000005
【図４】
2014066878.tif 000006
【図５】
2014066878.tif 000007
【図６】
2014066878.tif 000008
【図７】
2014066878.tif 000009
【図８】
2014066878.tif 000010
【図９】
2014066878.tif 000011
【図１０】
2014066878.tif 000012
【図１１】
2014066878.tif 000013